(57)【要約】【課題】サッシ等の開口部装置の躯体の開口部への設置に際し、水切部材を保持するための保持部材の設置において、溶接作業を不要とすることができる新規な技術を提供する。【解決手段】サッシ３などの開口部装置の下枠部材３２に固定される水切部材４０の保持構造において、水切部材４０の下面側に取付られる保持部材６０であって、水切部材４０に固定される固定部材６１と、固定部材６１から延出されるアーム部材６２と、を有する保持部材６０を用い、アーム部材６２がサッシ３の下枠部材３２の側（枠部材側）に対して固定される構造とする。【選択図】図２
2013002128.tif 000002
【特許請求の範囲】
【請求項１】
開口部装置の枠部材に固定される水切部材の保持構造において、
前記水切部材の下面側に取付られる保持部材であって、
前記水切部材に固定される固定部材と、
前記固定部材から延出されるアーム部材と、を有する保持部材を用い、
前記アーム部材が前記枠部材側に対して固定される、
水切部材の保持構造。
【請求項２】
前記アーム部材は、
前記枠部材、又は、前記枠部材に取付けられる部材に対して固定される、
ことを特徴とする請求項１に記載の水切部材の保持構造。
【請求項３】
前記アーム部材における前記枠部材、又は、前記枠部材に取付けられる部材に対する固定位置は、調整可能に構成される、
ことを特徴とする請求項１又は請求項２に記載の水切部材の保持構造。
【請求項４】
前記アーム部材は、前記固定部材に対し角度調整可能に構成される、
ことを特徴とする請求項１乃至請求項３のいずれか一項に記載の水切部材の保持構造。
【請求項５】
前記アーム部材が固定される、前記枠部材に取付けられる部材は、
前記枠部材と、前記枠部材を支える躯体の間に介設される部材であって、
前記枠部材の荷重を支えるための部材である、
ことを特徴とする請求項２乃至請求項４のいずれか一項に記載の水切部材の保持構造。
【発明の詳細な説明】
【技術分野】
【０００１】
本発明は、開口部装置を開口部に設置するための技術に関する。
【背景技術】
【０００２】
従来、ビルなどの建物の躯体の開口部に、ガラスサッシなどの窓や、ドアといった各種開口部装置を設ける形態について開示する文献が知られている（特許文献１参照。）。
この特許文献１では、コンクリート製の躯体に予め埋設された鉄筋に対し、サッシ枠側の固定具を溶接固定することで、サッシ枠を躯体の開口部に設置する構造について開示がされている。
【０００３】
また、特許文献１には、水切部材（特許文献１において水切皿板）に保持部材（特許文献１において固定具）を介して鉄筋に対し溶接固定される形態が開示されている。この形態においては、保持部材によって水切部材が下側から保持されることとなっている。
【先行技術文献】
【特許文献】
【０００４】
【特許文献１】特開平１１−２２３０７３号公報
【発明の概要】
【発明が解決しようとする課題】
【０００５】
しかしながら、水切部材を保持部材によって下側から保持する形態において、溶接作業を必要とする場合には、特に、躯体よりも室外側にある部位での溶接作業が困難となる。?体の室内側からの溶接作業になるため、特に、水切部材の出幅が大きい場合には、この作業が困難となる。
【０００６】
また、保持部材の設置に関連する溶接作業に伴って、サッシなどの開口部装置に品質上の不具合が生じることも想定されるが、品質保証という観点で、サッシなどを供給するメーカー側と施工者側での責任の所在の切り分けが難しいという問題も生じる。このようなことからも、できる限り溶接作業が少なくされることが好ましい。
【０００７】
そこで、本発明は、サッシ等の開口部装置の躯体の開口部への設置に際し、水切部材を保持するための保持部材の設置において、溶接作業を不要とすることができる新規な技術を提供するものである。
【課題を解決するための手段】
【０００８】
本発明の解決しようとする課題は以上の如くであり、次にこの課題を解決するための手段を説明する。
【０００９】
即ち、請求項１に記載のごとく、
開口部装置の枠部材に固定される水切部材の保持構造において、
前記水切部材の下面側に取付られる保持部材であって、
前記水切部材に固定される固定部材と、
前記固定部材から延出されるアーム部材と、を有する保持部材を用い、
前記アーム部材が前記枠部材側に対して固定される構造とするものである。
【００１０】
また、請求項２に記載のごとく、
前記アーム部材は、
前記枠部材、又は、前記枠部材に取付けられる部材に対して固定されることとする。
【００１１】
また、請求項３に記載のごとく、
前記アーム部材における前記枠部材、又は、前記枠部材に取付けられる部材に対する固定位置は、調整可能に構成されることとしている。
【００１２】
また、請求項４に記載のごとく、
前記アーム部材は、前記固定部材に対し角度調整可能に構成される、こととする。
【００１３】
また、請求項５に記載のごとく、
前記アーム部材が固定される、前記枠部材に取付けられる部材は、
前記枠部材と、前記枠部材を支える躯体の間に介設される部材であって、
前記枠部材の荷重を支えるための部材である、
こととするものである。
【発明の効果】
【００１４】
本発明の効果として、以下に示すような効果を奏する。
【００１５】
即ち、請求項１に記載の発明においては、
開口部装置の躯体の開口部への設置に際し、水切部材を保持するための保持部材の設置について、溶接作業を不要とすることができ、溶接作業に伴う課題の解決が可能となる。また、枠部材側に対するアーム部材の固定や、水切部材に対する固定部材の固定を、枠部材を躯体に設置する前に予め行っておくことによれば、施工現場における保持部材の設置作業を省略することができ、施工時間を短縮することが可能となる。
【００１６】
また、請求項２に記載の発明においては、
枠部材とは別体の部材に固定する形態であれば、既存の開口部装置について特段の仕様を変更することなく適用が可能であり、容易に実施可能な構成が実現できる。
【００１７】
また、請求項３に記載の発明においては、
例えば、出幅の大きい水切部材が使用される場合と、出幅の小さい水切部材が使用される場合において、それぞれの固定部（固定部材を固定する部位）の位置が異なることがあっても、共通のアーム部材の仕様にて対応することが可能となる。
【００１８】
また、請求項４に記載の発明においては、
適宜アーム部材の角度を変更することによって、アーム部材を固定する対象となる部材に対するアーム部材の位置あわせを行うことが可能となる。
【００１９】
また、請求項５に記載の発明においては、
枠部材の荷重を支えるための部材を、アーム部材の固定箇所として有効利用することが可能であり、部品点数の増加を抑えることができる。
【図面の簡単な説明】
【００２０】
【図１】本発明が適用される開口部装置の設置例について示す図。
【図２】保持部材にて水切部材を支持する構成について示す図。
【図３】（ａ）は保持部材と水切部材の構成について示す図。（ｂ）水切部材に対する保持部材の取付箇所の詳細について示す図。
【図４】保持部材の取付について説明する図。
【図５】（ａ）は出幅の大きい水切部材が使用される場合について示す図。（ｂ）は出幅の小さい水切部材が使用される場合について示す図。
【図６】固定された状態の保持部材について示す平面図。
【図７】下枠部材の躯体への設置が別形態である場合における本発明の適用について示す図。
【発明を実施するための形態】
【００２１】
本発明は、図２２乃至図４の実施形態に参照されるように、
サッシ３などの開口部装置の枠部材としての下枠部材３２に固定される水切部材４０の保持構造において、
水切部材４０の下面側に取付られる保持部材６０であって、
水切部材４０に固定される固定部材６１と、
固定部材６１から延出されるアーム部材６２と、を有する保持部材６０を用い、
アーム部材６２がサッシ３の下枠部材３２の側（枠部材側）に対して固定される構造とするものである。
【００２２】
このような保持構造とすることにより、開口部装置の躯体の開口部への設置に際し、水切部材を保持するための保持部材の設置について溶接作業を不要とすることができ、溶接作業に伴う課題の解決が可能となる。また、下枠部材３２側に対するアーム部材６２の固定や、水切部材４０に対する固定部材６１の固定を、下枠部材３２を躯体１に設置する前に予め行っておくことによれば、施工現場における保持部材６０の設置作業を省略することができ、施工時間を短縮することが可能となる。
【００２３】
以下、具体的に説明すると、図１に示すごとく、躯体１の開口部２に、開口部装置としてのサッシ３が設置されるものであり、このサッシ３は、上枠部材３１ａ、縦枠部材３１ｂ・３１ｃ、及び、下枠部材３２から四方枠を有して構成される。また、下枠部材３２には水切部材４０が取付けられおり、この水切部材４０が長手方向Ｎの複数箇所において保持部材６０によって下側から保持されることとなっている。
【００２４】
また、図２は、図１のＡ−Ａ線断面について示す図である。
この図２に示す実施例において、サッシ３の下枠部材３２には、その室外側の部位において垂れ下がる取付片部３５が設けられている。この取付片部３５に対し、水切部材４０の室内側の部位に形成される取付片部４５が図示せぬ固定具によって固定される。このようにして、水切部材４０の室内側の部位は、下枠部材３２の取付片部３５によって保持される。一方、水切部材４０の室外側の部位は、以下に説明する保持部材６０によって保持される。
【００２５】
また、図３（ａ）（ｂ）に示すごとく、水切部材４０の裏面４１には、略Ｌ字状断面の突条部４２ａ・４２ｂが見込方向Ｘにおいて対向するように設けられ、水切部材４０の裏面４１と突条部４２ａ・４２ｂの間には、それぞれ、見込方向Ｘにおいて対向する差込溝４３ａ・４３ｂが形成されている。そして、この突条部４２ａ・４２ｂと差込溝４３ａ・４３ｂによって、保持部材６０の固定部材６１を固定するための固定部４４が構成されることとなっている。
【００２６】
また、図３（ａ）（ｂ）及び図４に示すごとく、保持部材６０は、水切部材４０の裏側に形成された固定部４４に固定される固定部材６１と、水切部材４０に固定部材６１を取付けた状態において、固定部材６１から見込方向Ｘに延設されるアーム部材６２を有して構成される。
【００２７】
また、図３（ａ）（ｂ）及び図４に示すごとく、固定部材６１は、水切部材４０と略水平な面を形成する板面部６１ｍと、板面部６１ｍから下方に垂設される垂片部６１ｎを有して構成されており、例えば、板金加工された金具にて構成される。また、固定部材６１の板面部６１ｍは、水切部材４０の差込溝４３ａ・４３ｂに差し込まれるようにして固定される。
【００２８】
具体的には、図４に示すごとく、平面視矩形状の板面部６１ｍの長手方向Ｙの端部を差込部６１ａ・６１ｂとし、板面部６１ｍの長手方向Ｙを水切部材４０長手方向Ｎと平行にした状態として、水切部材４０の突条部４２ａ・４２ｂの間に板面部６１ｍを配置する。その後、板面部６１ｍを回転させることで、差込部６１ａ・６１ｂを突条部４２ａ・４２ｂの裏側にある差込溝４３ａ・４３ｂに挿入させることで固定を行う。また、板面部６１ｍの角度を元の位置に戻すことで、水切部材４０から固定部材６１を取り外すことができる。
【００２９】
また、図３（ａ）（ｂ）及び図４に示すごとく、以上のように、水切部材４０の固定部４４に対する固定部材６１の取付け、取外しを可能とすることで、水切部材４０の長手方向Ｎの任意の位置において保持部材６０（固定部材６１）を固定することが可能となり、特に固定位置を厳密に規定する必要がなく、施工管理が容易な構成とすることができる。
【００３０】
また、図３（ａ）（ｂ）及び図４に示すごとく、固定部材６１には、水切部材４０の固定部４４に取付けられた状態で突条部４２ｂの外側下面４２ｃに接する接触辺部６１ｃが設けられている。これにより、固定部材６１を固定部４４に取付けた状態では、差込部６１ａと接触辺部６１ｃの間に突条部４２ａが挟持され、取付後における固定部材６１の位置ズレを防止することができる。
【００３１】
また、図３（ａ）及び図４に示すごとく、固定部材６１には、水切部材４０に取付けた状態で下方に垂れ下がる垂片部６１ｎが設けられており、この垂片部６１ｎに、アーム部材６２の室外側の端部６２ａが固定具５３により連結固定される。このアーム部材６２は、例えば、板金加工された金具にて構成されるものであり、本実施例では、長尺の板片部材により構成されている。
【００３２】
また、図３（ａ）及び図４に示すごとく、アーム部材６２の室内側の端部６２ｂには、アーム部材６２の長手方向に長い長孔６２ｃが設けられており、この長孔６２ｃを通じて固定具５４を留め付けることにより、サッシ３の下枠部材３２の側に対してアーム部材６２が固定される。
【００３３】
また、図５（ａ）（ｂ）に示すごとく、アーム部材６２において、長孔６２ｃを設ける構成とすることにより、例えば、出幅Ｌ１の大きい水切部材４０Ａが使用される場合と、出幅Ｌ２の小さい水切部材４０Ｂが使用される場合において、それぞれの固定部４４Ａ・４４Ｂ（固定部材６１を固定する部位）の位置が異なることがあっても、共通のアーム部材６２の仕様にて対応することが可能となる。
【００３４】
以上のようにして、図５（ａ）（ｂ）アーム部材６２における枠側固定部材１０（或いは、別実施形態の場合における下枠部材３２など）に対する固定位置は、調整可能に構成されることとしている。なお、長孔については、アーム部材６２が固定される対象となる部材（枠側固定部材１０、或いは、別実施形態の場合における下枠部材３２など）の側に設けられることとしてもよい。また、長孔の形態とする他、アーム部材６２の長手方向に複数の丸孔を配列する形態も考えられる。
【００３５】
また、図６に示すごとく、水切部材４０の長手方向Ｎにおける保持部材６０（固定部材６１）と枠側固定部材１０の相対位置の関係によっては、アーム部材６２が撓む状況が生じることが想定される。このような状況においても、図５（ａ）（ｂ）、アーム部材６２に長孔６２ｃが設けられることで、長孔６２ｃの任意の位置において固定具５４を締結できるため、アーム部材６２を撓ませた状態での固定が可能となる。また、保持部材６０の固定部材６１が一旦固定されると、水切部材４０に対する固定部材６１の長手方向Ｎの移動が困難となる場合も想定されるが、このような場合においても、アーム部材６２を撓ませた状態で固定ができるため、固定部材６１の長手方向Ｎの位置調整を必要とせず、施工時間の短縮を図ることができる。また、換言すれば、水切部材４０に対する保持部材６０の位置決めを厳密に行う必要を無くすことができる。
【００３６】
また、図５（ａ）（ｂ）に示すごとく、アーム部材６２は、固定部材６１に対し角度調整可能に構成されることが好ましい。これにより、適宜アーム部材６２の角度を変更することによって、長孔６２ｃの位置を調整することが可能となり、アーム部材６２を固定する対象となる部材である枠側固定部材１０に対するアーム部材６２の端部６２ｂの位置あわせを行うことが可能となる。なお、本実施形態では、図３（ａ）に示す固定具５３を緩めることによってアーム部材６２の角度調整が可能となる。
【００３７】
また、図２に示すごとく、本実施例では、サッシ３の下枠部材３２の下部には、枠側固定部材１０が固定され、枠側固定部材１０と躯体１の設置面１Ａの間に設置用固定部材２０が介設される。これにより、下枠部材３２が、枠側固定部材１０及び設置用固定部材２０を介して躯体１に対して載置される構成となっている。また、設置用固定部材２０は、固定具７２によって躯体１に対して留め付けられる固定部材５０により、躯体１に対して固定されるようになっている。なお、下枠部材３２と躯体（設置面１Ａ）の間には、下枠部材３２の固定完了後において、モルタル８０などが充填される。
【００３８】
また、図３（ａ）に示すごとく、本実施例では、枠側固定部材１０に対し、アーム部材６２が固定具５４によって固定されることとしている。これにより、溶接作業をすることなく、アーム部材６２の端部６２ｂを枠側固定部材１０に固定することが可能となり、アーム部材６２、及び、固定部材６１を介して、水切部材４０を枠側固定部材１０にて保持することが可能となる。
【００３９】
なお、図２に示すごとく、枠側固定部材１０に対するアーム部材６２の固定や、水切部材４０に対する固定部材６１の固定は、下枠部材３２を躯体１に設置する前に予め行っておくことができる。これによれば、施工現場における保持部材６０の設置作業を省略することができ、施工時間を短縮することが可能となる。このことは、特に、図５（ａ）に示すごとく、出幅Ｌ１の大きい水切部材４０Ａが使用される場合においては、躯体から室外側に大きく離れた位置において、保持部材６０の固定部材６１を水切部材４０Ａに固定する作業が必要となり、困難な作業が想定されるため、予め開口部に開口部装置を配置する前や、さらには、メーカーの工場などで予め取付けておくことが好ましいことになる。また、このように事前に保持部材を水切部材４０や枠側固定部材１０に固定する場合においても、本実施例で説明する構成によれば、溶接作業を不要とすることができる。
【００４０】
また、図２及び図３（ａ）に示すごとく、本実施例では、枠側固定部材１０に対し、アーム部材６２の端部６２ｂを固定具５４にて連結固定することとしたが、設置用固定部材２０に対しアーム部材６２の端部６２ｂを連結固定する形態とすることや、サッシ３の下枠部材３２に対して直接アーム部材６２を取付ける形態なども考えられる。
【００４１】
つまり、図２及び図３（ａ）に示すアーム部材６２の室内側の端部６２ｂを固定する対象は、特に限定されるものではない。
【００４２】
また、図２及び図３（ａ）に示すごとく、本実施例では、保持部材６０のアーム部材６２は、下枠部材３２（枠部材）に取付けられる部材としての枠側固定部材１０に対して固定されることとしている。このように、サッシ３の下枠部材３２とは別体の部材である枠側固定部材１０に固定する形態であれば、既存のサッシ３について特段の仕様を変更することなく適用が可能であり、容易に実施可能な構成が実現できる。
【００４３】
また、本実施例では、枠側固定部材１０、及び、設置用固定部材２０を介して下枠部材３２を設置面１Ａに支持させる構成において、アーム部材６２が固定される対象となる、下枠部材３２に取付けられる部材（枠側固定部材１０）は、下枠部材３２と、下枠部材３２を支える躯体１（設置面１Ａ）の間に介設される部材であって、下枠部材３２の荷重を支えるための部材であることとするものである。
【００４４】
これにより、下枠部材３２の荷重を支えるための部材である枠側固定部材１０を、アーム部材６２の固定箇所として有効利用することが可能であり、部品点数の増加を抑えることができる。
【００４５】
さらに、枠側固定部材１０とは別に、アーム部材６２を下枠部材３２に連結固定するためのステーとして機能する部材を利用することや、アーム部材６２の端部に下枠部材３２と連結するためのアタッチメントを設ける形態なども考えられる。
【００４６】
また、図７に示す実施形態のように、下枠部材３２の枠側固定部材１０Ａが、予め躯体１に埋設される鉄筋８１に対して溶接８２にて固定される形態も考えられる。つまり、図２に示す枠側固定部材１０、設置用固定部材２０、固定部材５０が用いられない形態である。このような形態においても、上述した構成の保持部材６０を適用することが可能である。
【産業上の利用可能性】
【００４７】
本発明は、ＲＣ造のビル建物などにおいて、躯体の開口部にサッシなどの開口部装置を設置する際の技術として、幅広く適用可能である。
【符号の説明】
【００４８】
１    躯体
１Ａ    設置面
３    サッシ
１０    枠側固定部材
２０    設置用固定部材
３２    下枠部材
３５    取付片部
４０    水切部材
４１    裏面
４２ａ    突条部
４２ｂ    突条部
４２ｃ    外側下面
４３ａ    差込溝
４３ｂ    差込溝
４４    固定部
４５    取付片部
５４    固定具
６０    保持部材
６１    固定部材
６１ａ    差込部
６１ｂ    差込部
６１ｃ    接触辺部
６１ｄ    垂片部
６２    アーム部材
【図１】
2013002128.tif 000003
【図２】
2013002128.tif 000004
【図３】
2013002128.tif 000005
【図４】
2013002128.tif 000006
【図５】
2013002128.tif 000007
【図６】
2013002128.tif 000008
【図７】
2013002128.tif 000009